(57)【要約】【課題】斬新な演出効果を発揮する遊技機用の演出装置および遊技機を提供する。【解決手段】押しボタン３１は、透光性を有する合成樹脂（例えばポリカーボネート）製であり、遊技者側（前側）が凸となるドーム状をしており、筐体２０の窓２１下方に形成された傾斜面２４の孔２５に内挿され、孔２５内を傾斜面２４に直交する方向に沿って移動可能となっている。プロジェクタ部３３は、筐体２０内部の押しボタン３１後方に配置され、レンズ３４を通して押しボタン３１に後方から画像を投影する機能を有する。筐体２０内部の押しボタン３１後方に配置されたプロジェクタ部３３が、レンズ３４を通して押しボタン３１に後方から画像を投影するので、画像による演出効果を発揮することができ、従来の発光機構のような発光による演出効果のように単調とはならず、斬新な演出効果を発揮することができる。【選択図】図１
2014226423.tif 000002
【特許請求の範囲】
【請求項１】
少なくとも一部が光透過性を有し、遊技機の前面に配置される演出効果部と、
前記演出効果部の光透過性を有する部位に後方から画像を投影する画像投影部と、
を備えることを特徴とする遊技機用の演出装置。
【請求項２】
請求項１に記載の遊技機用の演出装置において、
前記演出効果部は、変位または変形可能に構成されていること
を特徴とする遊技機用の演出装置。
【請求項３】
請求項１または請求項２に記載の遊技機用の演出装置において、
さらに、遊技者の動作を検出する動作検出部を備え、
前記画像投影部は、前記動作検出部が検出した遊技者の動作に応じて、前記画像を投影する態様を制御すること
を特徴とする遊技機用の演出装置。
【請求項４】
遊技を行う構成を筐体に収容した構成を有する遊技機において、
請求項１〜請求項３の何れか１項に記載の遊技機用の演出装置を備えること
を特徴とする遊技機。
【発明の詳細な説明】
【技術分野】
【０００１】
本発明は、演出効果を発揮する遊技機用の演出装置および遊技機に関する。
【背景技術】
【０００２】
特許文献１には、遊技機の演出内容等に連動してボタンスイッチを遊技機本体に対して大きく突出させた位置と遊技機本体に引き込んだ位置との間における上下動制御が可能なボタン本体と、当該上下動制御されるボタン本体に搭載可能な発光機構とを具え、当該発光機構により、当該上下動制御と連動して遊技者に向けて発光を行う発光演出を行う遊技機用ボタンスイッチ装置について記載されている。
【先行技術文献】
【特許文献】
【０００３】
【特許文献１】特開２０１１−１７２７１５号公報（第１６〜１９頁、図９）
【発明の概要】
【発明が解決しようとする課題】
【０００４】
しかし、特許文献１に記載の遊技機用ボタンスイッチ装置においては、発光機構による発光演出が単調になりがちであり、斬新な演出効果が求められていた。
本発明は、このような課題に鑑みなされたものであり、その目的とするところは、斬新な演出効果を発揮する遊技機用の演出装置および遊技機を提供することにある。
【課題を解決するための手段】
【０００５】
上記課題を解決するためになされた請求項１に係る遊技機用の演出装置は、少なくとも一部が光透過性を有し、遊技機の前面に配置される演出効果部と、前記演出効果部の光透過性を有する部位に後方から画像を投影する画像投影部と、を備えることを特徴とする。
【０００６】
このように構成された本発明の遊技機用の演出装置によれば、画像による演出効果を発揮するので、従来の発光機構のような発光による演出効果のように単調とはならず、斬新な演出効果を発揮することができる。
【０００７】
請求項２に係る遊技機用の演出装置は、請求項１に記載の遊技機用の演出装置において、前記演出効果部は、変位または変形可能に構成されていることを特徴とする。
このように構成された本発明の遊技機用の演出装置によれば、演出効果部が、変位または変形可能であるので、画像による演出効果との相乗効果によってより斬新な演出効果を発揮することができる。
【０００８】
請求項３に係る遊技機用の演出装置は、請求項１または請求項２に記載の遊技機用の演出装置において、さらに、遊技者の動作を検出する動作検出部を備え、前記画像投影部は、前記動作検出部が検出した遊技者の動作に応じて、前記画像を投影する態様を制御することを特徴とする。
【０００９】
このように構成された本発明の遊技機用の演出装置によれば、画像投影部が、動作検出部が検出した遊技者の動作に応じて、画像を投影する態様を制御するので、より斬新な演出効果を発揮することができる。
【００１０】
なお、本発明は、遊技を行う構成を筐体に収容した構成を有する遊技機としても実現可能である（請求項４）。
【図面の簡単な説明】
【００１１】
【図１】実施形態の遊技機１の正面図およびＡＡ断面図である。
【図２】実施形態の遊技機１の動作を示す説明図である。
【発明を実施するための形態】
【００１２】
以下に本発明の実施形態を図面とともに説明する。
［１．遊技機１の構成の説明］
図１に示すように、スロットマシンやパチンコ機などの遊技機１は、遊技を行う構成としての遊技部１０と、遊技部１０を収容する筐体２０と、を備えている。なお、図１（ｂ）では、遊技機１の前部を図示し、遊技機１の後部の図示を省略している。
【００１３】
筐体２０の前面中央には窓２１が形成されており、窓２１には透明板２２が嵌め込まれている。そして、透明板２２の後方には遊技部１０が配置されており、遊技者は透明板２２を通して遊技部１０の遊技を視認することができるようになっている。また、筐体２０前面の右下部にはハンドル２３が設けられている。
【００１４】
また、遊技機１は、本発明の遊技機用の演出装置としての演出部３０を備えている。
演出部３０は、図１に示すように、演出効果部としての押しボタン３１、動作検出部としてのカメラ３２ａ，３２ｂ、画像投影部としてのプロジェクタ部３３、レンズ３４などから構成されている。
【００１５】
押しボタン３１は、透光性を有する合成樹脂（例えばポリカーボネート）製であり、遊技者側（前側）が凸となるドーム状をしており、先端３１ａがフランジ状に形成されている。そして、押しボタン３１は、筐体２０の窓２１下方に形成された傾斜面２４の孔２５に内挿され、孔２５内を傾斜面２４に直交する方向に沿って移動可能となっている。さらに、押しボタン３１は、図示しない付勢ばねによって後方から付勢されており、フランジ状の先端３１ａが傾斜面２４の孔２５の縁に係止する位置まで移動可能となっている。このような構成により、押しボタン３１は、先端３１ａが傾斜面２４の孔２５の縁に係止される位置にあり、遊技者が押しボタン３１に対して押圧動作を行うと、押しボタン３１が付勢ばねの付勢力に抗して筐体２０の内部に向けて押し込まれるが、遊技者による押圧動作が解除されると、付勢ばねの付勢力によって先端３１ａが傾斜面２４の孔２５の縁に係止する位置まで移動することで元の位置に戻るようになっている。
【００１６】
カメラ３２ａ，３２ｂは、筐体２０前面の右上部および左上部にそれぞれ設置されており、遊技機１の正面に座る遊技者を撮像して遊技者の動作を検出する機能を有する。
プロジェクタ部３３は、筐体２０内部の押しボタン３１後方に配置され、レンズ３４を通して押しボタン３１に後方から画像を投影する機能を有する。
【００１７】
また、プロジェクタ部３３は、カメラ３２ａ，３２ｂが検出した遊技者の動作に応じて、画像を投影する態様を制御することもできる。例えば、図２（ａ）に例示するように、遊技者の手（ハンドル２３を把持しない左手）の動きに合わせて画像（映像）を上下方向や左右方向、前後方向などに動かしたりエフェクトを動かしたりすることや、図２（ｂ）に例示するように、遊技者の手（同上）の動きに合わせてプロジェクタ部３３自身を上下方向や左右方向、前後方向などに動かすこと、遊技者の手（同上）の動きに合わせてプロジェクタ部３３自身を左右に動かして見えない場所の映像を見えるようにすること、遊技者の手（同上）の動きに合わせてプロジェクタ部３３自身を左右に動かして映像のピント（焦点）を合わせたりずらしたりすること、図２（ｃ）に例示するように、ピンチイン・ピンチアウトのように、遊技者の両手（ハンドル２３を把持しない両手）の動きに合わせて映像を拡大や縮小させること、図２（ｄ）に例示するように、シェイクビジョンのように、遊技者の両手（同上）の動きに合わせて映像を３次元的に動かすこと、遊技者の両手（同上）の動きに合わせて映像を揺らしたりねじれさせたりすること、などである。
【００１８】
［２．実施形態の効果］
（１）このように本実施形態の演出部３０および演出部３０を備える遊技機１によれば、筐体２０内部の押しボタン３１後方に配置されたプロジェクタ部３３が、レンズ３４を通して押しボタン３１に後方から画像を投影するので、画像による演出効果を発揮することができ、従来の発光機構のような発光による演出効果のように単調とはならず、斬新な演出効果を発揮することができる。
【００１９】
（２）また、本実施形態の演出部３０および演出部３０を備える遊技機１によれば、押しボタン３１が、孔２５内を傾斜面２４に直交する方向に沿って移動可能となっているので、画像による演出効果との相乗効果によってより斬新な演出効果を発揮することができる。
【００２０】
（３）また、本実施形態の演出部３０および演出部３０を備える遊技機１によれば、プロジェクタ部３３が、カメラ３２ａ，３２ｂが検出した遊技者の動作に応じて、画像を投影する態様を制御するので、より斬新な演出効果を発揮することができる。
【００２１】
［３．他の実施形態］
以上、本発明の一実施形態について説明したが、本発明は上記実施形態に限定されるものではなく、以下のような様々な態様にて実施することが可能である。
【００２２】
（１）上記実施形態では、押しボタン３１が傾斜面２４に直交する方向へ移動可能に構成されているが、これには限られず、他の方向に移動可能に構成されていてもよいし、上述のような移動軸を中心軸として回転可能に構成されていてもよいし、上述のような変位だけでなく、変形可能に構成されていてもよい。
【００２３】
（２）上記実施形態では、カメラ３２ａ，３２ｂが、筐体２０前面の右上部および左上部にそれぞれ設置されているが、これには限られず、遊技機１の正面に座る遊技者を撮像して遊技者の動作を検出することができる位置であれば、他の位置に設置されていてもよい。
【符号の説明】
【００２４】
１…遊技機、１０…遊技部、２０…筐体、２１…窓、２２…透明板、２３…ハンドル、２４…傾斜面、２５…孔、３０…演出部、３１…押しボタン、３１ａ…押しボタンの先端、３２ａ…カメラ、３３…プロジェクタ部、３４…レンズ。
【図１】
2014226423.tif 000003
【図２】
2014226423.tif 000004